(57)【要約】【課題】鍵管理が容易で不正行為を未然に又は速やかに対処することのできる扉の管理方法、扉の管理システム及び自動販売機を提供する。【解決手段】  自動販売機２は、携帯電話１が近づくと、その携帯電話１に設けた非接触ＩＣチップ４に記録した許可情報を読み取る。自動販売機２は、その読み出した許可情報と、自動販売機２に設けた記憶装置に記憶した許可情報とを比較する。自動販売機２は、その読み出した許可情報が自動販売機２の解錠を許可する情報のとき、電子錠を解錠させる。一方、携帯電話１に設けた非接触ＩＣチップ４に記録した許可情報は、第１携帯電話網Ｎ１を介して管理センタ３によって設定登録される。又、自動販売機２に設けた記憶装置に記憶される許可情報は、第２携帯電話網Ｎ２を介して管理センタ３によって設定登録される。【選択図】      図１
2005264680.tif 000002
【特許請求の範囲】
【請求項１】
携帯端末に、許可情報を記録した非接触ＩＣチップを設け、
電子錠にて開閉される扉又はその扉に隣接した位置に、前記非接触ＩＣチップに記録した前記許可情報を読み出す受信装置と前記携帯端末の許可情報を記憶する許可情報記憶装置を設け、
前記受信装置に、前記非接触ＩＣチップに記録した前記許可情報を読み取らせ、前記受信装置が読み出した前記許可情報と前記許可情報記憶装置に記憶した前記許可情報とを比較し、その比較結果に基づいて前記電子錠を駆動制御するようにしたことを特徴とする扉の管理方法。
【請求項２】
請求項１に記載の扉の管理方法において、
前記携帯端末に設けた前記非接触ＩＣチップに記録した前記許可情報を書換え変更するとともに、前記許可情報記憶装置に記憶した前記許可情報を書換え変更する管理コンピュータを設けたことを特徴とする扉の管理方法。
【請求項３】
請求項２に記載の扉の管理方法において、
前記扉又はその扉に隣接した位置には、送受信機を備え、
前記管理コンピュータは、通信網を介して、前記非接触ＩＣチップに記録した前記許可情報を書換え変更するとともに、前記許可情報記憶装置に記憶した前記許可情報を書換え変更することを特徴とする扉の管理方法。
【請求項４】
複数の携帯端末と、それぞれ電子錠にて開閉される複数の扉とからなる扉の管理システムにおいて、
前記複数の携帯端末の各々には、許可情報を記録する非接触ＩＣチップを備え、
前記複数の扉の各々、又は、各扉に隣接した位置には、
前記非接触ＩＣチップに記録された前記許可情報を読み出すための受信装置と、
前記携帯端末の許可情報を記憶した許可情報記憶装置と、
前記受信装置が前記非接触ＩＣチップから読み取った前記許可情報と前記許可情報記憶装置に記憶した許可情報とを比較し、その比較結果に基づいて前記電子錠を駆動制御する制御回路と
を備えたこと特徴とする扉の管理システム。
【請求項５】
請求項４に記載の扉の管理システムにおいて、
前記複数の扉の各々、又は、各扉に隣接した位置には、履歴情報記憶装置を備え、
前記制御回路は、前記比較結果に基づいて前記履歴情報記憶装置に扉履歴情報を記録することを特徴とする扉の管理システム。
【請求項６】
請求項４又は５に記載の扉の管理システムにおいて、
前記複数の扉の各々、又は、各扉に隣接した位置には、前記携帯端末に設けた前記非接触ＩＣチップに対して新たなデータを書き込む送信装置を備え、
前記制御回路は、前記比較結果に基づいて前記送信装置を介してその扉との間の履歴情報を端末履歴情報として前記非接触ＩＣチップに記録させることを特徴とする扉の管理システム。
【請求項７】
請求項４乃至６のいずれか１つに記載の扉の管理システムにおいて、
前記携帯端末に設けた前記非接触ＩＣチップに記録した前記許可情報を書換え変更するとともに、扉、又は、扉に隣接した位置に設けた前記許可情報記憶装置に記憶した前記許可情報を書換え変更する管理コンピュータを設けたことを特徴とする扉の管理システム。
【請求項８】
請求項７に記載の扉の管理システムにおいて、
前記管理コンピュータは、
通信網を介して前記携帯端末に書き換えのための許可情報を送信する第１の送信装置と、
前記通信網を介して前記許可情報記憶装置に書き換えのための許可情報を送信する第２の送信装置を備え、
前記複数の携帯端末の各々は、
前記通信網を介して受信した前記書き換えのための許可情報を新たな許可情報として前記非接触ＩＣチップに記録する端末データ管理回路を備え、
前記複数の扉の各々、又は、各扉に隣接した位置には、送受信機を備え、前記制御回路は前記通信網を介して前記送受信機が受信した前記書き換えのための許可情報を前記許可情報記憶装置に記憶することを特徴とする扉の管理システム。
【請求項９】
請求項７又は８に記載の扉の管理システムにおいて、
前記管理コンピュータは、
前記複数の携帯端末の各々に設けられた前記非接触ＩＣチップに記録された前記端末履歴情報を記憶する第１の情報記憶装置と、
前記複数の扉に対応して設けた前記各履歴情報記憶装置に記憶された扉履歴情報を記憶する第２の情報記憶装置と、
前記各携帯端末の非接触ＩＣチップに記録された前記端末履歴情報を、前記第１の情報記憶装置に記憶するために通信網を介して受信するための第１の受信装置と、
前記各扉の前記履歴情報記憶装置に記憶された扉履歴情報を、前記第２の情報記憶装置に記憶するために通信網を介して受信するための第２の受信装置と
を備えたことを特徴とする扉の管理システム。
【請求項１０】
電子錠を備えた自動販売機において、
携帯端末に設けた非接触ＩＣチップに記録された許可情報を読み出すための受信装置と、
前記携帯端末の許可情報を記憶した許可情報記憶装置と、
前記受信装置が前記非接触ＩＣチップから読み取った前記許可情報と前記許可情報記憶装置に記憶した許可情報とを比較し、その比較結果に基づいて前記電子錠を駆動制御する制御回路と
を備えたこと特徴とする自動販売機。
【発明の詳細な説明】
【技術分野】
【０００１】
本発明は、扉の管理方法、扉の管理システム及び自動販売機に関する。
【背景技術】
【０００２】
従来、自動販売機は、人を介さずに商品を販売できる利便性からあらゆる所に多数設置されている。従って、その多数の自動販売機を管理するには、多大な労力を有していた。
自動販売機の管理は一般に、決められた区域ごとに担当者を決め、その担当者がその区域にある多数の自販機を予め定めた順序に定期的又は不定期に巡回する。そして、巡回した先の自動販売機について、鍵を使って扉を開けて、品物の補充、金銭の回収及びつり銭の補充等の回収作業を行うようにしている。このとき、担当者は、各自動販売機毎に対応する鍵が必要となり、受け持つ自動販売機の数だけの鍵を携帯しなければならないことから非常に鍵の管理が面倒となり回収作業低下を招く。そこで、例えば、決められた区域の自動販売機の全てを同じ鍵にして、鍵の管理を容易に回収作業の能率アップを図っている。
【０００３】
しかしながら、上記のように、複数の自動販売機に対して共通の１つ鍵にまとめることは鍵の数が少なくなる分だけ管理が容易になる反面、その鍵が不正に使用された場合に被害が大きくなる。その結果、不正に使用されないように安全対策の面から新たな鍵管理が必要になっている。
【０００４】
そこで、自動販売機に指紋認証装置を設け、商品補充と売上金回収を行う作業員の指紋を読み取らせ、指紋登録された本人であると認証されたとき解錠するようにした管理システムが提案されている（例えば、特許文献１）。
【特許文献１】特許公開２００３−２３２１５４号公報
【発明の開示】
【発明が解決しようとする課題】
【０００５】
ところで、上記特許文献１のように、指紋照合で自動販売機を管理する方法では、指紋データの管理が複雑かつ面倒であった。例えば、新たな作業員が増えたとき、その都度本人を登録場所に呼びその場で指紋データを取得する必要があり、その作業に多大な時間と労力を必要としていた。また、作業員が増加すればするほどデータ量も増大するといった問題もあった。また、退職者がでた場合には、自動販売機の指紋認証装置に記憶されている指紋データを必ず消去しなければならなかった。その消去作業も、退職者を特定するとともにその退職者の指紋データを消去しなければならない自動販売機を特定し消去しなければならずはなはだ面倒であった。
【０００６】
本発明は上記問題点を解消するためになされたものであって、その目的は、扉の鍵管理が容易で不正行為を未然に又は速やかに対処することのできる扉の管理方法及び扉の管理システム及び自動販売機を提供することにある。
【課題を解決するための手段】
【０００７】
請求項１に記載の発明は、携帯端末に、許可情報を記録した非接触ＩＣチップを設け、
電子錠にて開閉される扉又はその扉に隣接した位置に、前記非接触ＩＣチップに記録した前記許可情報を読み出す受信装置と前記携帯端末の許可情報を記憶する許可情報記憶装置を設け、前記受信装置に、前記非接触ＩＣチップに記録した前記許可情報を読み取らせ、前記受信装置が読み出した前記許可情報と前記許可情報記憶装置に記憶した前記許可情報とを比較し、その比較結果に基づいて前記電子錠を駆動制御するようにしたことを特徴
とする扉の管理方法をその要旨とする。
【０００８】
請求項２に記載の発明は、請求項１に記載の扉の管理方法において、前記携帯端末に設けた前記非接触ＩＣチップに記録した前記許可情報を書換え変更するとともに、前記許可情報記憶装置に記憶した前記許可情報を書換え変更する管理コンピュータを設けた。
【０００９】
請求項３に記載の発明は、請求項２に記載の扉の管理方法において、前記扉又はその扉に隣接した位置には、送受信機を備え、前記管理コンピュータは、通信網を介して、前記非接触ＩＣチップに記録した前記許可情報を書換え変更するとともに、前記許可情報記憶装置に記憶した前記許可情報を書換え変更する。
【００１０】
請求項４に記載の発明は、複数の携帯端末と、それぞれ電子錠にて開閉される複数の扉とからなる扉の管理システムにおいて、前記複数の携帯端末の各々には、許可情報を記録する非接触ＩＣチップを備え、前記複数の扉の各々、又は、各扉に隣接した位置には、前記非接触ＩＣチップに記録された前記許可情報を読み出すための受信装置と、前記携帯端末の許可情報を記憶した許可情報記憶装置と、前記受信装置が前記非接触ＩＣチップから読み取った前記許可情報と前記許可情報記憶装置に記憶した許可情報とを比較し、その比較結果に基づいて前記電子錠を駆動制御する制御回路と備えた。
【００１１】
請求項５に記載の発明は、請求項４に記載の扉の管理システムにおいて、前記複数の扉の各々、又は、各扉に隣接した位置には、履歴情報記憶装置を備え、前記制御回路は、前記比較結果に基づいて前記履歴情報記憶装置に扉履歴情報を記録する。
【００１２】
請求項６に記載の発明は、請求項４又は５に記載の扉の管理システムにおいて、前記複数の扉の各々、又は、各扉に隣接した位置には、前記携帯端末に設けた前記非接触ＩＣチップに対して新たなデータを書き込む送信装置を備え、前記制御回路は、前記比較結果に基づいて前記送信装置を介してその扉との間の履歴情報を端末履歴情報として前記非接触ＩＣチップに記録させる。
【００１３】
請求項７に記載の発明は、請求項４乃至６のいずれか１つに記載の扉の管理システムにおいて、前記携帯端末に設けた前記非接触ＩＣチップに記録した前記許可情報を書換え変更するとともに、扉、又は、扉に隣接した位置に設けた前記許可情報記憶装置に記憶した前記許可情報を書換え変更する管理コンピュータを設けた。
【００１４】
請求項８に記載の発明は、請求項７に記載の扉の管理システムにおいて、前記管理コンピュータは、通信網を介して前記携帯端末に書き換えのための許可情報を送信する第１の送信装置と、前記通信網を介して前記許可情報記憶装置に書き換えのための許可情報を送信する第２の送信装置を備え、前記複数の携帯端末の各々は、前記通信網を介して受信した前記書き換えのための許可情報を新たな許可情報として前記非接触ＩＣチップに記録する端末データ管理回路を備え、前記複数の扉の各々、又は、各扉に隣接した位置には、送受信機を備え、前記制御回路は前記通信網を介して前記送受信機が受信した前記書き換えのための許可情報を前記許可情報記憶装置に記憶する。
【００１５】
請求項９に記載の発明は、請求項７又は８に記載の扉の管理システムにおいて、前記管理コンピュータは、前記複数の携帯端末の各々に設けられた前記非接触ＩＣチップに記録された前記端末履歴情報を記憶する第１の情報記憶装置と、前記複数の扉に対応して設けた前記各履歴情報記憶装置に記憶された販売機履歴情報を記憶する第２の情報記憶装置と、前記各携帯端末の非接触ＩＣチップに記録された前記端末履歴情報を、前記第１の情報記憶装置に記憶するために通信網を介して受信するための第１の受信装置と、前記各自動販売機の前記履歴情報記憶装置に記憶された販売機履歴情報を、前記第２の情報記憶装置
に記憶するために通信網を介して受信するための第２の受信装置とを備えた。
【００１６】
請求項１０に記載の発明は、電子錠を備えた自動販売機において、携帯端末に設けた非接触ＩＣチップに記録された許可情報を読み出すための受信装置と、前記携帯端末の許可情報を記憶した許可情報記憶装置と、前記受信装置が前記非接触ＩＣチップから読み取った前記許可情報と前記許可情報記憶装置に記憶した許可情報とを比較し、その比較結果に基づいて前記電子錠を駆動制御する制御回路とを備えた。
【発明の効果】
【００１７】
請求項１に記載の発明によれば、携帯端末を近づけるだけで、受信機は携帯端末に設けた非接触ＩＣチップに記録した許可情報を読み取る。その読み出した許可情報と、許可情報記憶装置に記憶した前記許可情報とを比較し比較結果に基づいて電子錠を制御する。
【００１８】
従って、扉を巡回し同扉を直接管理する担当者（巡回者）は、非接触ＩＣチップを設けた携帯端末を所持し、その携帯端末を近づけるだけで電子錠を例えば解錠することができる。しかも、複数の扉の許可情報記憶装置に同じ携帯端末の許可情報を記憶しておけば、巡回者は、一つの携帯端末で、複数の扉を管理することができる。また、扉の許可情報記憶装置に複数の携帯端末の許可情報を記憶しておけば、その記録した数の携帯端末を使って扉を管理することができる。さらに、担当者の増加又は退職といった、担当者に変動があっても担当者に関係なく携帯端末を管理すればよいので、扉の管理が容易でとなる。
【００１９】
請求項２に記載の発明によれば、非接触ＩＣチップに記録した許可情報や、許可情報記憶装置に記憶した許可情報は、管理コンピュータによって、適宜変更することができる。従って、例えば、携帯端末が不正に使用されるおそれがある場合に、事前に許可情報記憶装置に記憶した許可情報を変更すれだけで、扉は不正に解錠されることはない。また、新たに携帯端末を追加する場合にも、簡単に行える。
【００２０】
請求項３に記載の発明によれば、非接触ＩＣチップに記録した許可情報や、許可情報記憶装置に記憶した許可情報は、通信網を介して管理コンピュータを一括して変更することができる。従って、直接、携帯端末を手元において許可情報を変更したり、扉に直接出向いて許可情報を変更したりする作業がなくなる。しかも、短時間に変更することができる。
【００２１】
請求項４に記載の発明によれば、扉の受信機は、携帯端末が近づくと、その携帯端末に設けた非接触ＩＣチップに記録した許可情報を読み取る。制御回路は、その読み出した許可情報と、許可情報記憶装置に記憶した前記許可情報とを比較する。そして、例えば、制御回路は、その読み出した許可情報が扉の開閉を許可する情報のとき、電子錠を解錠する。
【００２２】
従って、扉を巡回し同扉を直接管理する担当者（巡回者）は、非接触ＩＣチップを設けた携帯端末を所持し、その携帯端末を扉に近づけるだけで電子錠を制御することができる。しかも、複数の扉の許可情報記憶装置に同じ携帯端末の許可情報を記憶しておけば、巡回者は、一つの携帯端末で、複数の扉を管理することができる。また、扉の許可情報記憶装置に複数の携帯端末の許可情報を記憶しておけば、その記録した数の携帯端末を使って扉を管理することができる。さらに、担当者の増加又は退職といった、担当者に変動があっても担当者に関係なく携帯端末を管理すればよいので、扉の管理が容易でとなる。
【００２３】
請求項５に記載の発明によれば、制御回路は、携帯端末の許可情報と許可情報記憶装置に記憶した許可情報との比較結果に基づいてその履歴を扉履歴情報として履歴情報記憶装置に記憶する。従って、例えば、履歴情報記憶装置の扉履歴情報を読み出せば、該扉の各
携帯端末に対する交信記録を管理することができる。
【００２４】
請求項６に記載の発明によれば、制御回路は、携帯端末の非接触ＩＣチップから読み出した許可情報との比較結果に基づいて送信装置を介して、その扉との間の履歴情報を端末履歴情報として非接触ＩＣチップに記録させる。従って、例えば、非接触ＩＣチップの端末履歴情報を読み出せば、該携帯端末の各扉に対する交信記録を管理することができる。
【００２５】
請求項７に記載の発明によれば、管理コンピュータは、非接触ＩＣチップに記録した許可信号や、許可情報記憶装置に記憶した許可情報を、適宜変更することができることができる。従って、例えば、携帯端末が不正に使用されるおそれがある場合に、事前に許可情報記憶装置に記憶した許可情報を変更するだけで、扉は不正に解錠されることはない。また、新たに携帯端末を追加する場合にも、簡単に行える。
【００２６】
請求項８に記載の発明によれば、管理コンピュータは、通信網を介して各携帯端末の非接触ＩＣチップに記録した許可情報、各扉の許可情報記憶装置に記憶した許可情報を変更する。従って、直接、各携帯端末を手元において許可情報を変更したり、各扉に直接出向いて許可情報を変更したりする作業がなくなる。しかも、短時間に変更することができる。
【００２７】
請求項９に記載の発明によれば、管理コンピュータは、通信網を介して各携帯端末の非接触ＩＣチップに記録した端末履歴情報や、各扉の許可情報記憶装置に記憶した販売機履歴情報を受信し、第１の情報記憶装置及び第２の情報記憶装置に記憶する。従って、直接、各携帯端末を手元において端末履歴情報を収集したり、各扉に直接出向いて扉履歴情報を収集する作業がなくなる。しかも、短時間に変更することができる。
【００２８】
請求項１０に記載の発明によれば、自動販売機の受信機は、携帯端末が近づくと、その携帯端末に設けた非接触ＩＣチップに記録した許可情報を読み取る。自動販売機の制御回路は、その読み出した許可情報と、自動販売機に設けた許可情報記憶装置に記憶した前記許可情報とを比較する。そして、制御回路は、その読み出した許可情報が自動販売機の開閉を許可する情報のとき、電子錠を駆動する。
【００２９】
従って、自動販売機を巡回し同自動販売機を直接管理する担当者（巡回者）は、非接触ＩＣチップを設けた携帯端末を所持し、その携帯端末を自動販売機に近づけるだけで電子錠を例えば解錠することができる。しかも、複数の自動販売機の許可情報記憶装置に同じ携帯端末の許可情報を記憶でき、巡回者は、一つの携帯端末で、複数の自動販売機を管理することができる。また、自動販売機の許可情報記憶装置に複数の携帯端末の許可情報を記憶しておけば、その記録した数の携帯端末を使って自動販売機を管理することができる。さらに、担当者の増加又は退職といった、担当者に変動があっても担当者に関係なく携帯端末を管理すればよいので、自動販売機の管理が容易でとなる。
【発明を実施するための最良の形態】
【００３０】
以下、本発明を具体化した実施形態を図１〜図１４に従って説明する。図１は本実施形態を説明するための自動販売機の管理システムを説明するためのシステム構成図である。
図１において、管理システムは、複数の携帯端末としての携帯電話１、複数（図では２個）の自動販売機２、管理センタ３を備えている。携帯電話１と自動販売機２とは、携帯電話１に設けられた非接触ＩＣチップ４によって、非接触で交信が行われるようになっている。つまり、携帯電話１を自動販売機２に近づけるだけで、非接触ＩＣチップ４と自動販売機２との間でデータの授受が行われて、自動販売機２の扉２ａの解錠が行えるようになっている。自動販売機２は、携帯電話１に設けられた非接触ＩＣチップ４から、許可情報としての端末識別情報Ｉ１、施解錠用識別情報Ｉ２及び担当者名情報Ｉ３を受信する。
また、各携帯電話１の非接触ＩＣチップ４は、自動販売機２から、端末履歴情報ＴＬＩＦを受信する。
【００３１】
端末識別情報Ｉ１は、各自動販売機２を特定する情報であって、本実施形態では携帯電話個々に割り当てられた製造番号である。施解錠用識別情報Ｉ２は該自動販売機２の解錠を許可するために用いられるＩＤ情報である。担当者名情報Ｉ３は該端末識別情報Ｉ１を持つ携帯電話１に対して責任を持って所持する担当者の氏名の情報である。尚、本実施形態では、端末識別情報Ｉ１、施解錠用識別情報Ｉ２及び担当者名情報Ｉ３の３つの情報を許可情報としているが、いずれか１つであってもよく、また、これらの２つの組合せで実施してもよい。
【００３２】
端末履歴情報ＴＬＩＦは、該携帯電話１が自動販売機２の扉２ａを解錠した履歴の情報であって、自動販売機識別情報ＪＩＦ、日付情報Ｉ４、その他情報Ｉ５からなる。自動販売機識別情報ＪＩＦは、該自動販売機２を特定する情報であって、本実施形態では自動販売機個々に割り当てられた製造番号である。日付情報Ｉ４は、解錠が行われた日時の情報である。その他情報Ｉ５は、解錠が行われた時点での売上金額、お釣りの残高等の情報である。
【００３３】
携帯電話１及び複数の自動販売機２は、管理センタ３によって統括管理されている。携帯電話１と管理センタ３は、通信網（移動体通信網）としての第１携帯電話網Ｎ１を介して相互にデータの授受を行うことができる。自動販売機２と管理センタ３は、通信網（移動体通信網）としての第２携帯電話網Ｎ２を介して相互にデータの授受を行うことができる。第１携帯電話網Ｎ１及び第２携帯電話網Ｎ２は、本実施形態ではともに携帯電話網であってその通信形態が無線通信網である。第１携帯電話網Ｎ１は、例えば、株式会社ＮＴＴドコモのｉモードを利用した携帯電話網であり、第２携帯電話網Ｎ２は、例えばＮＴＴドコモのＤｏＰａ（ドゥーパ）を利用した携帯電話網である。
【００３４】
管理センタ３は、各携帯電話１に対して第１携帯電話網Ｎ１を介して、許可情報ＴＩＦを送信する。許可情報ＴＩＦは、自動販売機２の解錠を許可する携帯電話１を特定するための情報であって、本実施形態では、前記端末識別情報Ｉ１、前記施解錠用識別情報Ｉ２、前記担当者名情報Ｉ３の３つからから構成されている。一方、各携帯電話１は、管理センタ３に対して第１携帯電話網Ｎ１を介して、端末履歴情報ＴＬＩＦを送信する。端末履歴情報ＴＬＩＦは、該携帯電話１が自動販売機２の扉２ａを解錠した履歴の情報であって、前記自動販売機識別情報ＪＩＦ、前記日付情報Ｉ４、前記その他情報Ｉ５から構成されている。
【００３５】
また、管理センタ３は、各自動販売機２に対して第２携帯電話網Ｎ２を介して、前記許可情報ＴＩＦや前記自動販売機識別情報ＪＩＦ等を送信する。一方、各自動販売機２は、管理センタ３に対して第２携帯電話網Ｎ２を介して、販売機履歴情報ＪＬＩＦを送信する。販売機履歴情報ＪＬＩＦは、自動販売機２が携帯電話１を使って解錠された履歴の情報であって、本実施形態では、前記許可情報ＴＩＦ（端末識別情報Ｉ１、施解錠用識別情報Ｉ２、担当者名情報Ｉ３）、前記日付情報Ｉ４、前記その他情報Ｉ５から構成されている。
【００３６】
次に、携帯電話１、自動販売機２及び管理センタ３の電気的構成を説明する。
（携帯電話１）
図２は、携帯電話１の電気的構成を説明するためのブロック回路図を１は示す。携帯電話１は、非接触ＩＣチップ４、入力操作部１１、表示部１２、無線送受信部１３、受話器１４、ＤＡ変換器１５、送話機１６、ＡＤ変換器１７及び端末データ管理回路としての制御回路部１８を備えている。入力操作部１１は、各種ボタンから構成され、その操作に基
づくボタン信号は制御回路部１８に出力される。入力操作部１１は、電話をかけたり、相手の電話を聞く際に、また、メールの編集、送受信等を行う際に公知の方法で操作される。表示部１２は、ＬＣＤ等のデバイスからなり、公知の各種画像が制御回路部１８の制御に基づいて表示される。受話器１４は、ＤＡ変換器１５を介して制御回路部１８に接続され、着信音や通話相手の音声が制御回路部１８の公知の制御に基づいて出力される。送話機１６は、ＡＤ変換器１７を介して制御回路部１８に接続され、使用者の音声を集音した音声信号をＡＤ変換器１７を介して制御回路部１８に出力する。無線送受信部１３は、アンテナ１３ａを介して制御回路部１８からの送信信号を第１携帯電話網Ｎ１を介して他の携帯電話に送信する。また、無線送受信部１３は、第１携帯電話網Ｎ１を介してアンテナ１３ａが受信した他の携帯電話からの通話またはメール等の送信信号を受信し制御回路部１８に出力する。
【００３７】
無線送受信部１３は、アンテナ１３ａを介して制御回路部１８からの前記端末履歴情報ＴＬＩＦ（自動販売機識別情報ＪＩＦ、日付情報Ｉ４、その他情報Ｉ５）を第１携帯電話網Ｎ１を介して管理センタ３に出力するようになっている。また、無線送受信部１３は、第１携帯電話網Ｎ１を介してアンテナ１３ａが受信した管理センタ３からの許可情報ＴＩＦ（端末識別情報Ｉ１、施解錠用識別情報Ｉ２、担当者名情報Ｉ３）を受信して制御回路部１８に出力する。
【００３８】
制御回路部１８は、非接触ＩＣチップ４の記憶部４ａに書き込まれた端末履歴情報ＴＬＩＦを読み出すと共に記憶部４ａに前記許可情報ＴＩＦを書き込むためのリード・ライト回路１８ａを備えている。非接触ＩＣチップ４は、例えば、ソニー株式会社のＩＣカード規格であるＦｅＬｉＣａ（フェリカ）機能を持つ非接触ＩＣカードと同様な機能を有する非接触ＩＣチップである。非接触ＩＣチップ４の記憶部４ａには、図４に示すように、許可情報ＴＩＦを記憶する記憶領域と、図５に示すように、端末履歴情報ＴＬＩＦを記憶する記憶領域が割り当てられている。
【００３９】
従って、制御回路部１８は、無線送受信部１３が受信した前記管理センタ３からの許可情報ＴＩＦ（端末識別情報Ｉ１、施解錠用識別情報Ｉ２、担当者名情報Ｉ３）を非接触ＩＣチップ４の記憶部４ａに記録される。また、制御回路部１８は、非接触ＩＣチップ４が、前記自動販売機２から取得し記憶部４ａに記憶した端末履歴情報ＴＬＩＦを読み出し、無線送受信部１３を介して管理センタ３に送信するようになっている。
【００４０】
（自動販売機２）
図３は、自動販売機２の電気的構成を示すブロック回路を示す。図３において、自動販売機２は、制御回路としてのＣＰＵ２１、ＲＯＭ２２、ＲＡＭ２３、入力装置２４、送受信機としての無線送受信機２５、許可情報記憶装置及び履歴情報記憶装置としての記憶装置２６、リード・ライト装置２７、電子錠２８、振動センサ２９ａ、及び、撮像装置２９ｂを備えている。
【００４１】
ＣＰＵ２１は、ＲＯＭ２２に記憶された各種プログラムに従って自動販売機２の管理のために演算処理動作を実行する。ＲＡＭ２３は、ＣＰＵ２１の演算処理結果を一時記憶する。入力装置２４は、投入される金銭の検出、排出されるつり銭の検出、販売された製品の種類等を検出する装置であって、その検出信号はＣＰＵ２１に出力される。ＣＰＵ２１は、これら検出信号に基づいて、その時々に販売された商品と金額の販売履歴の商品販売履歴情報を記憶装置２６に記憶するようになっている。また、ＣＰＵ２１は、商品販売履歴情報を作成する毎に、その時の売上金額、つり銭残高及び各商品在庫数も合わせて記憶するようになっている。
【００４２】
無線送受信機２５は、データ授受のために第２携帯電話網Ｎ２を介して管理センタ３と
結ぶための送受信機である。無線送受信機２５は、ＣＰＵ２１からの前記販売機履歴情報ＪＬＩＦを管理センタ３に第２携帯電話網Ｎ２を介して送信する。無線送受信機２５は、第２携帯電話網Ｎ２を介して管理センタ３からの前記許可情報ＴＩＦや前記自動販売機識別情報ＪＩＦ等を受信しＣＰＵ２１に出力するようになっている。
【００４３】
記憶装置２６は、前記商品販売履歴情報等の記憶領域の他に、自販機識別情報記憶領域２６ａ、許可情報記憶領域２６ｂ、販売機履歴情報記憶領域２６ｃを有している。自販機識別情報記憶領域２６ａは、図６に示すように、自動販売機識別情報ＪＩＦと販売する商品の商品情報Ｇが記憶される。許可情報記憶領域２６ｂは、図７に示すように、前記許可情報ＴＩＦ、即ち、端末識別情報Ｉ１、施解錠用識別情報Ｉ２及び担当者名情報Ｉ３が携帯電話1毎に記憶される。販売機履歴情報記憶領域２６ｃは、図８に示すように、前記販
売機履歴情報ＪＬＩＦ、即ち、許可情報ＴＩＦ（端末識別情報Ｉ１、施解錠用識別情報Ｉ２、担当者名情報Ｉ３）、日付情報Ｉ４、その他情報Ｉ５が記憶される。
【００４４】
リード・ライト装置２７は、前記携帯電話１に設けた非接触ＩＣチップ４と非接触で交信する装置であって、受信装置２７ａと送信装置２７ｂを備えている。リード・ライト装置２７は、受信装置２７ａを介して非接触ＩＣチップ４の記憶部４ａに書き込まれている許可情報ＴＩＦを受信するとともに、送信装置２７ｂを介して記憶部４ａに書き込むための端末履歴情報ＴＬＩＦを送信する。
【００４５】
電子錠２８は、自動販売機２の扉２ａを電気的に施錠及び解錠する錠であって、ＣＰＵ２１からの施錠制御信号で扉２ａを施錠し、解錠制御信号で扉２ａを解錠する。詳しくは、ＣＰＵ２１は、リード・ライト装置２７が受信した許可情報ＴＩＦを受信しその許可情報ＴＩＦが、記憶装置２６の許可情報記憶領域２６ｂに記憶された複数の許可情報ＴＩＦ（端末識別情報Ｉ１、施解錠用識別情報Ｉ２、担当者名情報Ｉ３）中に一致するものがあるかどうか比較する。そして、ＣＰＵ２１は、一致するものがある場合には、電子錠２８に対して扉２ａが施錠されているときには解錠制御信号を出力する。反対に、一致するものがない場合には、ＣＰＵ２１は、電子錠２８に対して扉２ａが施錠されているときには解錠制御信号を出力しない。
【００４６】
また、ＣＰＵ２１は、扉２ａが解錠されたとき、販売機履歴情報ＪＬＩＦを作成する。つまり、ＣＰＵ２１は、その時にリード・ライト装置２７が携帯電話１の非接触ＩＣチップ４から受信した許可情報ＴＩＦ、解錠した日時からなる日付情報Ｉ４及びその他情報Ｉ５を販売機履歴情報ＪＬＩＦとして記憶装置２６の販売機履歴情報記憶領域２６ｃに記憶する。さらに、この時、ＣＰＵ２１は、端末履歴情報ＴＬＩＦを作成する。つまり、ＣＰＵ２１は、この自動販売機２の自動販売機識別情報ＪＩＦ、解錠した日時からなる日付情報Ｉ４及びその他情報Ｉ５を端末履歴情報ＴＬＩＦとしてリード・ライト装置２７を介して非接触ＩＣチップ４に送信する。非接触ＩＣチップ４は、この端末履歴情報ＴＬＩＦを受信すると記憶部４ａに記憶することになる。
【００４７】
さらに、本実施形態の自動販売機２では、振動センサ２９ａ、ＣＣＤカメラ等の撮像装置２９ｂが備えられている。振動センサ２９ａは、自動販売機２に加えられた振動を検出するセンサであって、その振動検出信号をＣＰＵ２１に出力するようになっている。ＣＰＵ２１は、振動センサ２９ａからの振動検出信号に基づいて自動販売機２が異常状態（例えば不正な解錠、自動販売機２の損壊等）にあるか否か判断する。具体的には、大きな振動、断続的な振動等を分析して、地震等の自然現象で生じる振動を除いて自動販売機２に加えられている振動が異常どうかを判断する。ＣＰＵ２１は、振動が異常（自動販売機２が異常状態）と判断したとき、警報情報を無線送受信機２５を第２携帯電話網Ｎ２を介して管理センタ３に送信する。警報情報は、本実施形態では、異常である旨の異常情報と、許可情報ＴＩＦ（端末識別情報Ｉ１、施解錠用識別情報Ｉ２、担当者名情報Ｉ３）を含ん
でいる。
【００４８】
撮像装置２９ｂは、自動販売機２の周辺を撮像する装置であって、ＣＰＵ２１の制御信号に基づいて撮像動作を開始しその画像データが記憶装置２６に記憶されるようになっている。具体的には、ＣＰＵ２１が、振動センサ２９ａからの振動検出信号に基づいて自動販売機２が異常状態と判断したとき、撮像装置２９ｂに対して制御信号が出力される。撮像装置２９ｂは、制御信号に応答して撮像を介して、自動販売機２で行われている異常状態を撮像する。そして、ＣＰＵ２１は、撮像装置２９ｂが撮像している自動販売機２で行われている異常状態の画像データを記憶装置２６に記憶させる。
【００４９】
（管理センタ３）
図１に示すように、管理センタ３は、管理コンピュータ３１、第１の情報記憶装置としての端末用履歴情報記憶装置３２、第２の情報記憶装置としての自動販売機用履歴情報記憶装置３３及び端末・自動販売機データ管理記憶装置３４を備えている。又、管理センタ３は、第１の受信装置及び第１の送信装置としての第１入出力インタフェース３５及び第２の受信装置及び第２の送信装置としての第２入出力インタフェース３６を備えている。
【００５０】
端末用履歴情報記憶装置３２は、各携帯電話１の端末履歴情報ＴＬＩＦを記憶する記憶装置である。自動販売機用履歴情報記憶装置３３は、各自動販売機２の販売機履歴情報ＪＬＩＦを記憶する記憶装置である。端末・自動販売機データ管理記憶装置３４は、各携帯電話１（端末識別情報Ｉ１）における施解錠用識別情報Ｉ２及び担当者名情報Ｉ３を記憶するとともに、各自動販売機２（自動販売機識別情報ＪＩＦ）における商品情報Ｇ、端末識別情報Ｉ１、施解錠用識別情報Ｉ２及び担当者名情報Ｉ３を記憶する。
【００５１】
第１入出力インタフェース３５は、データ授受のために第１携帯電話網Ｎ１を介して各携帯電話１と結ぶためのインタフェースである。第１入出力インタフェース３５は、管理コンピュータ３１が端末・自動販売機データ管理記憶装置３４から読み出した許可情報ＴＩＦ（端末識別情報Ｉ１、施解錠用識別情報Ｉ２及び担当者名情報Ｉ３）を各携帯電話１に対して第１携帯電話網Ｎ１を介して送信する。また、第１入出力インタフェース３５は、第１携帯電話網Ｎ１を介して各携帯電話１からの端末履歴情報ＴＬＩＦを受信し管理コンピュータ３１に出力するようになっている。管理コンピュータ３１はこの端末履歴情報ＴＬＩＦを端末用履歴情報記憶装置３２に記憶するようになっている。
【００５２】
第２入出力インタフェース３６は、データ授受のために第２携帯電話網Ｎ２を介して各自動販売機２と結ぶためのインタフェースである。第２入出力インタフェース３６は、管理コンピュータ３１が端末・自動販売機データ管理記憶装置３４から読み出した自動販売機識別情報ＪＩＦ、商品情報Ｇ、及び許可情報ＴＩＦ（端末識別情報Ｉ１、施解錠用識別情報Ｉ２及び担当者名情報Ｉ３）を各自動販売機２に対して第２携帯電話網Ｎ２を介して送信する。また、第２入出力インタフェース３６は、第２携帯電話網Ｎ２を介して各自動販売機２からの販売機履歴情報ＪＬＩＦを受信し管理コンピュータ３１に出力するようになっている。管理コンピュータ３１はこの販売機履歴情報ＪＬＩＦを自動販売機用履歴情報記憶装置３３に記憶するようになっている。
【００５３】
また、管理コンピュータ３１は、第２携帯電話網Ｎ２を介して自動販売機２からの警報情報を入力する。管理コンピュータ３１は、警報情報を入力すると、通報処理を実行する。通報処理は、警備会社または該自動販売機２を解錠させることができる携帯電話１を所持している担当者のどちらに通報するかを判断し、その判断した先に通報するようになっている。具体的には、本実施形態では、管理コンピュータ３１は、警報情報を受信した時刻が、夜間（例えば午後９時から翌朝午前９時）の時警備会社に、昼間（例えば午前９時から午後９時）の時担当者の携帯電話１に通報するようにしている。尚、通報先の選択は
特に限定されるものではなく、時間に関係なく、いずれか一方のみ通報したり、両方に同時に通報してのよい。
【００５４】
通報先が携帯電話１の場合、管理コンピュータ３１は、警報情報中の許可情報ＴＩＦ（端末識別情報Ｉ１、施解錠用識別情報Ｉ２、担当者名情報Ｉ３）に基づいて直ちに異常が発生している自動販売機２を指定した警報を携帯電話１に第１携帯電話網Ｎ１を介して通知する。従って、各自動販売機２を巡回中の担当者は、その通知を受けて異常が発生している自動販売機２に直ちに向かうことができ、到着時間の短縮を図ることができる。
【００５５】
また、通報先が警備会社の場合、管理コンピュータ３１は、警報情報中の許可情報ＴＩＦ（端末識別情報Ｉ１、施解錠用識別情報Ｉ２、担当者名情報Ｉ３）に基づいて直ちに異常が発生している自動販売機２を指定した警報を警備会社にインターネットまたは第１携帯電話網Ｎ１等を介して通知する。従って、警備会社は、その通知を受けて異常が発生している自動販売機２に直ちに向かうことができ、到着時間の短縮を図ることができる。
【００５６】
しかも、このとき、管理コンピュータ３１は、記憶装置２６に記憶した画像データを受信できるようにすればその現場（自動販売機２）の状況が視認でき、より正確に現場の状況を判断できる。
【００５７】
次に、上記のように構成した自動販売機２の管理システムの作用を図９〜図１４のフローチャートに従って説明する。
（管理センタ３における登録）
図９は、管理センタ３の管理コンピュータ３１を使って行う、管理する自動販売機２及び携帯電話１の登録の方法を説明するためのフローチャートを示す。
【００５８】
まず、管理センタ３において、管理コンピュータ３１を使って、自動販売機２毎に自動販売機識別情報ＪＩＦと、販売する商品とその値段等からなる商品情報Ｇを設定する（ステップＳ１）。また、管理センタ３において、管理コンピュータ３１を使って、自動販売機２毎に該自動販売機２の解錠を許可するための許可情報ＴＩＦ（端末識別情報Ｉ１、施解錠用識別情報Ｉ２及び担当者名情報Ｉ３）を設定する（ステップＳ２）。
【００５９】
続いて、管理コンピュータ３１を使って、携帯電話１毎に端末識別情報Ｉ１と、管理する自動販売機２の施解錠用識別情報Ｉ２及び担当者名情報Ｉ３を設定に記憶する（ステップＳ３）。各自動販売機２及び各携帯電話１に対する許可情報ＴＩＦが設定されると、管理コンピュータ３１は、その各情報を端末・自動販売機データ管理記憶装置３４に記憶する（ステップＳ４）。これによって、管理センタ３にける、管理する自動販売機２及び携帯電話１の登録が終了する。
【００６０】
（管理センタ３から自動販売機２への設定登録）
図１０は、管理コンピュータ３１が自動販売機２に各情報を設定登録する方法を説明するためのフローチャートを示す。
【００６１】
管理コンピュータ３１は、設定登録の対象となる自動販売機２と第２携帯電話網Ｎ２を介して接続する（ステップＳ１１）。次に、管理コンピュータ３１は、端末・自動販売機データ管理記憶装置３４に記憶した該自動販売機２の自動販売機識別情報ＪＩＦ、商品情報Ｇ、許可情報ＴＩＦ（端末識別情報Ｉ１、施解錠用識別情報Ｉ２及び担当者名情報Ｉ３）を読み出す（ステップＳ１２）。続いて、管理コンピュータ３１は、第２携帯電話網Ｎ２を介して読み出した各情報を自動販売機２に送信する（ステップＳ１３）。
【００６２】
各情報が自動販売機２から送信されると、自動販売機２のＣＰＵ２１は、無線送受信機
２５を介して受信する（ステップＳ１４）。ＣＰＵ２１は、各情報を受信すると、記憶装置２６の自販機識別情報記憶領域２６ａに自動販売機識別情報ＪＩＦ及び商品情報Ｇを、許可情報記憶領域２６ｂに許可情報（端末識別情報Ｉ１、施解錠用識別情報Ｉ２及び担当者名情報Ｉ３）を記憶する（ステップＳ１５）。これによって、管理センタ３から自動販売機２への設定登録が終了する。従って、全ての自動販売機２に対して、又は、新たに追加した自動販売機２に対して、直接、自動販売機２に出向くことなく何時でも設定登録できる。
【００６３】
なお、既に設定登録済みの自動販売機２に対して自動販売機識別情報ＪＩＦ、商品情報Ｇ、端末識別情報Ｉ１、施解錠用識別情報Ｉ２又は担当者名情報Ｉ３の少なくとも１つを変更したい場合でも、管理センタ３で再登録した後に同様に設定登録を行うことができる。従って、何らかの理由で許可情報ＴＩＦ中の端末識別情報Ｉ１、施解錠用識別情報Ｉ２または担当者名情報Ｉ３のすくなくともいずれか１つを変更したい場合には、直接、自動販売機２に出向くことなく何時でも設定登録できる。
【００６４】
（管理センタ３から携帯電話１への設定登録）
図１１は、管理コンピュータ３１よる携帯電話１に各情報を設定登録する方法を説明するためのフローチャートを示す。
【００６５】
管理コンピュータ３１は、設定登録の対象となる携帯電話１と第１携帯電話網Ｎ１を介して接続する（ステップＳ２１）。次に、管理コンピュータ３１は、端末・自動販売機データ管理記憶装置３４に記憶した該携帯電話１の許可情報ＴＩＦ（端末識別情報Ｉ１、施解錠用識別情報Ｉ２及び担当者名情報Ｉ３）を読み出す（ステップＳ２２）。続いて、管理コンピュータ３１は、第１携帯電話網Ｎ１を介して読み出した各情報を携帯電話１に送信する（ステップＳ２３）。
【００６６】
各情報が携帯電話１から送信されると、携帯電話１の制御回路部１８は、無線送受信部１３を介して受信する（ステップＳ２４）。制御回路部１８は、各情報を受信すると、その受信した許可情報ＴＩＦ（端末識別情報Ｉ１、施解錠用識別情報Ｉ２及び担当者名情報Ｉ３）をリード・ライト回路１８ａを介して非接触ＩＣチップ４の記憶部４ａに記憶させる（ステップＳ２５）。
【００６７】
これによって、管理センタ３から携帯電話１への設定登録が終了する。従って、全ての携帯電話１に対して、又は、新たに追加した携帯電話１に対して、直接、携帯電話１を手元に置くことなく何時でも設定登録できる。
【００６８】
なお、既に設定登録済みの携帯電話１に対して許可情報ＴＩＦ（端末識別情報Ｉ１、施解錠用識別情報Ｉ２及び担当者名情報Ｉ３）の少なくとも１つを変更したい場合でも、管理センタ３で再登録した後に同様に設定登録を行うことができる。従って、何らかの理由で許可情報ＴＩＦ中の端末識別情報Ｉ１、施解錠用識別情報Ｉ２または担当者名情報Ｉ３のすくなくともいずれか１つを変更したい場合には、直接、携帯電話１を手元に置くことなく何時でも設定登録できる。
【００６９】
（携帯電話１による自動販売機２の解錠）
図１２は、携帯電話１と自動販売機２との間で行う解錠処理動作を示すフローチャートを示す。
【００７０】
携帯電話１を自動販売機２に近づけると、携帯電話１の非接触ＩＣチップ４と自動販売機２のリード・ライト装置２７との間で更新が行われる。更新が行われると、非接触ＩＣチップ４は、自動販売機２のリード・ライト装置２７に対して、記憶部４ａに書き込まれ
ている許可情報ＴＩＦ（端末識別情報Ｉ１、施解錠用識別情報Ｉ２及び担当者名情報Ｉ３）を送信する（ステップＳ３１）。
【００７１】
リード・ライト装置２７がこの許可情報ＴＩＦを受信すると（ステップＳ３２）、ＣＰＵ２１は受信した許可情報ＴＩＦ（端末識別情報Ｉ１、施解錠用識別情報Ｉ２及び担当者名情報）と、許可情報記憶領域２６ｂに記憶されている許可情報ＴＩＦ（端末識別情報Ｉ１、施解錠用識別情報Ｉ２及び担当者名情報Ｉ３）を比較する（ステップＳ３３）。
【００７２】
ＣＰＵ２１は、許可情報記憶領域２６ｂ中に受信した許可情報ＴＩＦ（端末識別情報Ｉ１、施解錠用識別情報Ｉ２及び担当者名情報）と一致したものがある判断すると（ステップＳ３４でＹＥＳ）、正規に登録された携帯電話１であると判断し電子錠２８を解錠させる（ステップＳ３５）。従って、担当者は携帯電話１を自動販売機２に近づけるだけで、自動販売機２の扉２ａを開けることができる。しかも、１つの携帯電話１が設定登録している許可情報ＴＩＦ（端末識別情報Ｉ１、施解錠用識別情報Ｉ２及び担当者名情報Ｉ３）を、複数の自動販売機２に設定登録すれば、１つの携帯電話１で複数の自動販売機２を解錠できる。なお、反対に、一致するものがない判断すると（ステップＳ３４でＮＯ）、ＣＰＵ２１は正規に登録された携帯電話１でないと判断し電子錠２８を解錠させないで終了する。
【００７３】
ステップＳ３５で電子錠２８を解錠させると、ＣＰＵ２１は、販売機履歴情報ＪＬＩＦを作成し販売機履歴情報記憶領域２６ｃに記憶する（ステップＳ３６）。従って、自動販売機２には、解錠させる毎にどの携帯電話１を使って何時解錠させたかを知る履歴が自動的に記録される。続いて、ＣＰＵ２１は、端末履歴情報ＴＬＩＦを作成しリード・ライト装置２７を介して非接触ＩＣチップ４に送信する（ステップＳ３７）。
【００７４】
非接触ＩＣチップ４はこの端末履歴情報ＴＬＩＦを受信し（ステップＳ３８）、その受信した端末履歴情報ＴＬＩＦを記憶部４ａに記憶する（ステップＳ３９）。従って、携帯電話１には、解錠させる毎にどの自動販売機２を使って何時解錠させたかを知る履歴が自動的に記録される。これによって、携帯電話１による自動販売機２の解錠処理動作は終了する。
【００７５】
（携帯電話１の端末履歴情報ＴＬＩＦの読み出し）
図１３は、携帯電話１の端末履歴情報ＴＬＩＦの読み出しのフローチャートを示す。
管理コンピュータ３１は、第１携帯電話網Ｎ１を介して対象となる携帯電話１と接続する（ステップＳ４１）。次に、管理コンピュータ３１は、携帯電話１に対して端末履歴情報ＴＬＩＦを要求する（ステップＳ４２）。携帯電話１の制御回路部１８は、この要求に応答してリード・ライト回路１８ａを介して非接触ＩＣチップ４の記憶部４ａに記憶した端末履歴情報ＴＬＩＦを読み出す（ステップＳ４３）。続いて、制御回路部１８は、第１携帯電話網Ｎ１を介してその読み出した端末履歴情報ＴＬＩＦを管理コンピュータ３１に送信する（ステップＳ４４）。
【００７６】
管理コンピュータ３１は、端末履歴情報ＴＬＩＦを受信すると（ステップＳ４５）、この端末履歴情報ＴＬＩＦを端末用履歴情報記憶装置３２に記憶する（ステップＳ４６）。これによって、管理センタ３による携帯電話１の端末履歴情報ＴＬＩＦの読み出しを終了する。従って、全ての携帯電話１に対して、直接、携帯電話１を手元に置くことなく何時でも端末履歴情報ＴＬＩＦを取得することができる。
【００７７】
（自動販売機２の販売機履歴情報ＪＬＩＦの読み出し）
図１４は、自動販売機２の販売機履歴情報ＪＬＩＦの読み出しのフローチャートを示す。管理コンピュータ３１は、第２携帯電話網Ｎ２を介して対象となる自動販売機２と接続
する（ステップＳ５１）。次に、管理コンピュータ３１は、自動販売機２に対して販売機履歴情報ＪＬＩＦを要求する（ステップＳ５２）。自動販売機２のＣＰＵ２１は、この要求に応答して販売機履歴情報記憶領域２６ｃに記憶した販売機履歴情報ＪＬＩＦを読み出す（ステップＳ５３）。続いて、ＣＰＵ２１は、第２携帯電話網Ｎ２を介してその読み出した販売機履歴情報ＪＬＩＦを管理コンピュータ３１に送信する（ステップＳ５４）。
【００７８】
管理コンピュータ３１は、販売機履歴情報ＪＬＩＦを受信すると（ステップＳ５５）、この販売機履歴情報ＪＬＩＦを自動販売機用履歴情報記憶装置３３に記憶する（ステップＳ５６）。これによって、管理センタ３による自動販売機２の販売機履歴情報ＪＬＩＦの読み出しを終了する。従って、全ての自動販売機２に対して、直接、自動販売機２に出向くことなく何時でも販売機履歴情報ＪＬＩＦを取得することができる。
【００７９】
上記実施形態によれば、以下のような効果を得ることができる。
（１）本実施形態によれば、携帯電話１に設けた非接触ＩＣチップ４の記憶部４ａに記憶した許可情報ＴＩＦ（端末識別情報Ｉ１、施解錠用識別情報Ｉ２及び担当者名情報Ｉ３）を自動販売機２にリード・ライト装置２７で読み取り、許可情報ＴＩＦに基づいて電子錠２８を解錠させるようにした。従って、担当者は携帯電話１を自動販売機２に近づけるだけで、自動販売機２の扉２ａを開けることができる。また、１つの携帯電話１が設定登録している許可情報ＴＩＦ（端末識別情報Ｉ１、施解錠用識別情報Ｉ２及び担当者名情報）を、複数の自動販売機２に設定登録すれば、１つの携帯電話１で複数の自動販売機２を解錠できる。
（２）本実施形態では、管理コンピュータ３１は、第２携帯電話網Ｎ２を介して自動販売機識別情報ＪＩＦ、商品情報Ｇ、及び、許可情報ＴＩＦ（端末識別情報Ｉ１、施解錠用識別情報Ｉ２及び担当者名情報Ｉ３）を全ての自動販売機２に設定登録するようにした。従って、自動販売機２に対して、直接、自動販売機２に出向くことなく何時でも設定登録できる。しかも、何らかの理由（例えば、不正使用が行われる場合等）で許可情報ＴＩＦ（端末識別情報Ｉ１、施解錠用識別情報Ｉ２及び担当者名情報Ｉ３）を変更したい場合でも、直接、自動販売機２に出向くことなく何時でも設定登録できる。従って、特に不正使用に対しては即座に対応することができる。
（３）本実施形態では、管理コンピュータ３１は、第１携帯電話網Ｎ１を介して許可情報ＴＩＦ（端末識別情報Ｉ１、施解錠用識別情報Ｉ２及び担当者名情報Ｉ３）を携帯電話１に設定登録するようにした。従って、全ての携帯電話１に対して、又は、新たに追加した携帯電話１に対して、直接、携帯電話１を手元に置くことなく何時でも設定登録できる。しかも、何らかの理由（例えば、不正使用が行われる場合等）で許可情報ＴＩＦ（端末識別情報Ｉ１、施解錠用識別情報Ｉ２及び担当者名情報）を変更したい場合には、直接、携帯電話１を手元に置くことなく何時でも設定登録できる。従って、特に不正使用に対しては即座に対応することができる。
（４）本実施形態では、管理コンピュータ３１は、第２携帯電話網Ｎ２を介して販売機履歴情報ＪＬＩＦを自動販売機２から読み出すことができるようにした。従って、全ての自動販売機２に対して、直接、自動販売機２に出向くことなく何時でも販売機履歴情報ＪＬＩＦを取得することができる。
（５）本実施形態では、管理コンピュータ３１は、第１携帯電話網Ｎ１を介して端末履歴情報ＴＬＩＦを携帯電話１から読み出すことができるようにした。従って、全ての携帯電話１を手元に置くことなく何時でも端末履歴情報ＴＬＩＦを取得することができる。
（６）本実施形態では、担当者の増加又は退職といった、担当者に変動があっても担当者に関係なく携帯電話１さえ管理すればよく、担当者の変動毎にデータ等の書き換えを急いで行う必要がなく自動販売機２の管理が容易でとなる。しかも、担当者が増加しても施解錠用識別情報Ｉ２が増加しないのでデータ量の増大につながらない。
【００８０】
なお、上記各実施形態は以下のように変更してもよい。
○上記実施形態では、許可情報ＴＩＦを端末識別情報Ｉ１、施解錠用識別情報Ｉ２及び担当者名情報Ｉ３とした。これを、端末識別情報Ｉ１、施解錠用識別情報Ｉ２、担当者名情報Ｉ３のいずれか１つ、または、これらの３つのうち２つを適宜組み合わせたものを識別情報して実施してもよい。さらに、端末識別情報Ｉ１、施解錠用識別情報Ｉ２及び担当者名情報Ｉ３に他に新たな情報を加えたものを許可情報として実施してもよい。
【００８１】
また、前記実施形態では、端末識別情報Ｉ１は、携帯電話個々に割り当てられた製造番号であったが、自動販売機２の自動販売機識別情報ＪＩＦのような自動販売機個々に割り当てられた製造番号であったり、その他情報であってもよい。担当者名情報Ｉ３は、携帯電話１に対して責任を持って所持する担当者の氏名の情報であったが、担当者名でなく、例えば管理部門名等の情報であったりしても良い。尚、本実施形態では、端末識別情報Ｉ１、施解錠用識別情報Ｉ２及び担当者名情報Ｉ３の３つの情報を許可情報としているが、いずれか１つであってもよく、また、これらの２つの組合せで実施してもよい。
【００８２】
○上記実施形態では、扉の管理システムを、自動販売機の管理システムに具体化した。これを、複数のビルの扉（例えば、夜間通用門の扉）の管理システム、１つビルの各部屋に設けた扉の管理システム、テナントの各部屋の扉の管理システム、各場所に設置された自動金銭支払機の管理システム、各家の扉（例えば玄関の扉）の管理システム等、要は鍵のついた扉であれば何でもよい。この場合、これら扉の管理システムにおいては、扉の中に図２に示す電気的構成を組み込んでもよいが、扉に隣接する位置（例えば、壁、扉の外枠、またはこれら壁や外枠に設けた箱等）に図２に示す電気的構成を組み込んでもよい。
【００８３】
○上記実施形態では、携帯電話１の非接触ＩＣチップ４の記憶部４ａに記憶した許可情報ＴＩＦ（端末識別情報Ｉ１、施解錠用識別情報Ｉ２及び担当者名情報）を書き換え可能にしたが、これを書き換え不能にしてもよい。同様に、自動販売機２の記憶装置２６に記憶した許可情報ＴＩＦ（端末識別情報Ｉ１、施解錠用識別情報Ｉ２及び担当者名情報）を書き換え不能にしてもよい。
【００８４】
○上記実施形態では、端末履歴情報ＴＬＩＦや販売機履歴情報ＪＬＩＦを取得できる管理システムであったが、これら端末履歴情報ＴＬＩＦや販売機履歴情報ＪＬＩＦを作成しない扉を開閉するだけの扉の管理システムに具体化してもよい。
【００８５】
○上記実施形態では、自動販売機２（扉２ａ）を解錠する管理システムであった。これを、扉を施錠するだけの扉の管理システムに具体化してもよい。
また、解錠と施錠の両方を行う扉の管理システムに具体化してもよい。この場合、許可情報を、解錠のための許可情報と施錠のための許可情報をそれぞれ別々に設け、解錠と施錠の両方ができる携帯電話１（携帯端末）、解錠だけができる携帯電話１（携帯端末）及び施錠だけができる携帯電話１（携帯端末）を設けて適宜使い分けて実施してもよい。
【００８６】
○上記実施形態では、携帯端末として携帯電話を用いたがＰＤＡでもよい。
○上記実施形態では、第１携帯電話網Ｎ１と第２携帯電話網Ｎ２は異なる通信形態であったが、同じ通信形態の無線通信網で実施してもよい。
【００８７】
○上記実施形態では、第２携帯電話網Ｎ２は無線通信網であったが、有線通信網で実施してもよい。
○上記実施形態では、自動販売機２の電気的構成において、ＣＰＵ２１はその時々に販売された商品と金額の販売履歴の商品販売履歴情報の作成や売上金額、つり銭残高及び各商品在庫数の演算も行うようにしたが、これを他のコンピュータに行わせ、扉２ａの開閉に関する制御のみを行わせようにしてもよい。
【図面の簡単な説明】
【００８８】
【図１】自動販売機の管理システムを説明するためのシステム構成図。
【図２】携帯電話の電気的構成を示すブロック回路図。
【図３】自動販売機２の電気的構成を示すブロック回路。
【図４】非接触ＩＣチップの記憶部に記憶される許可情報を示す図。
【図５】非接触ＩＣチップの記憶部に記憶される端末履歴情報を示す図。
【図６】自販機識別情報記憶領域に記憶される内容を示す図。
【図７】許可情報記憶領域に記憶される内容を示す図。
【図８】販売機履歴情報記憶領域に記憶される内容を示す図。
【図９】管理センタに自動販売機及び携帯電話を登録するためのフローチャート。
【図１０】自動販売機に各情報を設定登録するためのフローチャート。
【図１１】携帯電話に各情報を設定登録するためのフローチャート。
【図１２】携帯電話と自動販売機との間で行う解錠動作を示すフローチャート。
【図１３】携帯電話の端末履歴情報の読み出しのフローチャート。
【図１４】自動販売機の販売機履歴情報の読み出しのフローチャート。
【符号の説明】
【００８９】
１…携帯端末としての携帯電話、２…自動販売機、２ａ…扉、３…管理センタ、４…非接触ＩＣチップ、４ａ…記憶部、１８…制御回路部、１８ａ…リード・ライト回路、２１…ＣＰＵ、２５…無線送受信装置、２６…許可情報記憶装置及び履歴情報記憶装置としての記憶装置、２７…リード・ライト装置、２７ａ…受信装置、２７ｂ…送信装置、２８…電子錠、３１…管理コンピュータ、３２…第１の情報記憶装置としての端末履歴情報記憶装置、３３…第２の情報記憶装置としての自動販売機用履歴情報記憶装置、３５…第１の受信装置及び第１の送信装置としての第１入出力インタフェース、３６…第２の受信装置及び第２の送信装置としての第２入出力インタフェース、ＪＩＦ…自動販売機識別情報、ＪＬＩＦ…販売機履歴情報、ＴＩＦ…許可情報、ＴＬＩＦ…端末履歴情報、Ｉ１…端末識別情報、Ｉ２…施解錠用識別情報、Ｉ３…担当者名情報、Ｎ１…通信網としての第１携帯電話網、Ｎ２…通信網としての第２携帯電話網。
【図１】
2005264680.tif 000003
【図２】
2005264680.tif 000004
【図３】
2005264680.tif 000005
【図４】
2005264680.tif 000006
【図５】
2005264680.tif 000007
【図６】
2005264680.tif 000008
【図７】
2005264680.tif 000009
【図８】
2005264680.tif 000010
【図９】
2005264680.tif 000011
【図１０】
2005264680.tif 000012
【図１１】
2005264680.tif 000013
【図１２】
2005264680.tif 000014
【図１３】
2005264680.tif 000015
【図１４】
2005264680.tif 000016